(57)【要約】      （修正有）【課題】オイルミストの除去にフィルタ方式を採用するオイルミスト除去装置において、作業者によるフィルタの掃除を頻繁に行わなくてもオイルミストの高い除去率を維持することの出来る安価なオイルミスト除去装置を提供する。【解決手段】オイルミスト除去装置内においてミスト除去を行うフィルタの形状を多角形形状とし、該フィルタの１つの角部を下方へ向けた状態に配置を行いフィルタ押さえにより装置内へ取り付けを行い、更に下方へ向けて配置された１つの角部へ高圧空気の吹きつけが可能な高圧空気吹きつけ手段を設けフィルタに付着したオイルの除去を可能とする。【選択図】なし【特許請求の範囲】
【請求項１】
本発明は、吸引ファンの回転により装置内部へ吸引した空気内に含まれるオイルミストを、装置内部に配設されたフィルタにより除去を行い、オイルミストの除去された浄化空気を装置外部へ排出を行うオイルミスト除去装置において、装置内部に取り付けられている多角形形状に形成したフィルタの１つの角部を下方へ向けた状態に配置したことを特徴とするオイルミスト除去装置。
【請求項２】
フィルタ押さえ内に１つの角部を下方へ向けた状態で収容されたフィルタの下方部へ高圧空気の吹きつけを行う高圧空気吹きつけ手段を設けたことを特徴とする請求項１に記載のオイルミスト除去装置。
【請求項３】
多角形に形成したフィルタの配置を変更可能に装置内に収容したことを特徴とする請求項１および請求項２に記載のオイルミスト除去装置。
【発明の詳細な説明】
【技術分野】
【０００１】
本発明は加工機に装着し、該加工機が加工中に発生するオイルミストを空気中より除去し、浄化した空気を装置外部へ排出するためのオイルミスト除去装置の分野において使用されるものであり、具体的にはオイルミストの除去を行うフィルタのメンテナンス性の向上に関するものである。
【背景技術】
【０００２】
製造ラインに配置され金属加工を行う切削用機械等の加工機において加工を行う際、鉱物油を主成分とする油性切削油（以下、オイルと記載）がポンプ等により加工中の被加工物へ供給される。切削加工される被加工物は、非常に高温となるため、供給されたオイルの一部はミスト状となり空気中に混入し、加工機のカバーの隙間や加工品を加工機内より取り出しを行う際に、加工機外部へ放出され作業環境を悪化させる要因となっていた。
【０００３】
上記の問題を解消する為の方法として特開昭６３−１１９８３０号公報に記載されたような加工機周辺に設置し、加工機内のオイルミストを含んだ空気をファンによって吸引を行い、空気中に含まれたオイルミストを多孔体で構成されたフィルタにより除去後に浄化された空気を排出するオイルミスト除去装置が知られている。
【０００４】
上記方式のようなオイルミスト除去装置を設置することで、オイルミストを含んだ空気が加工機外へ排出されることによる作業環境の悪化を防止することが可能であるが、上記公報のようなオイルミスト除去装置を使用し続けるとフィルタが目詰まりを起こしオイルミストの除去効率が低下するため、定期的なフィルタの掃除または交換等のメンテナンス作業を行わなければならず、製造コスト増加の要因ともなっていた。
【０００５】
メンテナンス性の向上を図る方法として特開昭５２−９１８１号公報や特開平５−１１５７２９号公報等様々な方式のものが考案され効果を上げているが、オイルミスト除去装置の装置構成が複雑なものとなることでの価格上昇や本体重量の増加などが問題となっていた。
【特許文献１】特開昭６３−１１９８３０号公報
【特許文献２】特開昭５２−９１８１号公報
【特許文献３】特開平５−１１５７２９号公報
【発明の開示】
【発明が解決しようとする課題】
【０００６】
本発明は、オイルミストの除去にフィルタ方式を採用するオイルミスト除去装置において、作業者によるフィルタの掃除を頻繁に行わなくてもオイルミストの高い除去率を維持することの出来る安価なオイルミスト除去装置を提供することを目的とする。
【課題を解決するための手段】
【０００７】
本発明は、前記した課題を解決する手段として、オイルミスト除去装置内においてミスト除去を行うフィルタの形状を多角形形状とし、該フィルタの１つの角部を下方へ向けた状態に配置を行い、フィルタ押さえにより装置内に固定する。更に下方へ向けて配置された１つの角部へ高圧空気の吹きつけが可能な高圧空気吹きつけ手段を設けフィルタに付着したオイルの除去を可能とする。
【発明の効果】
【０００８】
オイルミスト除去装置内に設けられるオイルミスト除去フィルタを多角形形状とし、角部の１つが下方へ向くように配置することにより、装置内において空気内より除去されフィルタに付着したオイルを特別な機構を設けること無く、下方に向けて配置された１つの角部へ集中させて集めることが可能となる。更にオイルが集中して集められている１つの角部に高圧空気吹きつけ手段により高圧空気の吹きつけを行うことでフィルタに付着したオイルを簡単且つ安価な装置構成で効率良く除去することが出来る。
【０００９】
上記のようにフィルタに付着したオイルを効率良く除去することにより空気中に含まれたオイルミストを長時間安定して除去することが可能となり、作業者によるフィルタの掃除または交換作業等のメンテナンス作業の削減が可能なオイルミスト除去装置を安価に提供することが出来る。
【００１０】
更に、本発明のオイルミスト除去措置は、フィルタ押さえによって保持されている多角形に形成したフィルタの位置変更が可能な装置構成としたことで、高圧空気が吹き付けられる下方へ向けられた角部に不具合が生じた場合、フィルタを回転させることで、高圧空気が吹き付けられる角部の変更を行うことが出来る。その為、一枚のフィルタを長期間使用することが可能となりメンテナンス費用の削減をすることが出来た。
【発明を実施するための最良の形態】
【００１１】
以下、本発明の実施の形態を図面に基づいて説明する。
【実施例１】
【００１２】
図１に示すように本実施例のオイルミスト除去装置は、フィルタＡ１３が設けられたフロントカバー部と、空気吸引を行う為のファン９ならびにファン９の駆動源となるモータ１０が収容されたボディ部の組み合わせにより構成されている。
【００１３】
フロントカバー２は六角形の箱形状に形成され、向かい合う六角形の板のうち図面左側の板には円形の切り欠き部が設けられ、該切り欠き部を覆うようにダクトＡ３が固定されている。図面右側の板には四角形の切り欠き部が設けられ、該切り欠き部を覆うようにフィルタ押さえ８が取り付けられている。この時、板とフィルタ押さえ８の間にフィルタＡ１３が挟持された状態で保持されている。
【００１４】
ボディ１は、両端部に折り返し部を設けた六角形の筒状で構成され、図面右側折り返し部には排気口であるダクトＢ４が設けられたダクトＢ用プレート５が取り付けられている。
ボディ内部は、リング状の仕切板と、中心部に丸い切り欠きを有した１２角形の仕切板により３つに区切られ、図面左側の区画下方にドレン１２と高圧空気を噴射する為の噴射ノヅル１１、中央の区画下方に噴射ノヅル１１がそれぞれ設けられている。
【００１５】
図面左側に設けられたリング状の仕切板には隔壁Ａ６が取り付けられ、該隔壁にはフィルタ保持ピンＡ１７が図面左方向へ突出した状態で４本固定される。前記の突出部には円筒状に形成したフィルタＣ１５と、円筒状のフィルタＣ１５の図面左側開口部に蓋をするようにフィルタＢ１４が配置される。
【００１６】
図面右側に設けられた仕切板には隔壁Ｂ７が取り付けられる。前記隔壁Ｂ７にはモータ１０とフィルタ保持ピンＢ１８が取り付けられ、モータ１０の回転軸部には吸引力を発生させる為のファン９が固定され、フィルタ保持ピンＢ１８には円筒状に形成したフィルタＤ１６が取り付けられている。
【００１７】
次に本発明の動作について述べる。
複数の羽が環状に並べられたファン９をモータ１０により回転させることにより吸引力が発生する。この吸引力によってオイルミスト除去装置と連結された加工機内より、オイルミストを含んだ空気をオイルミスト除去装置内へ吸引を行う。
【００１８】
装置内へ吸引されたオイルミストを含んだ空気は、フロントカバー２内の設けられた衝突板に衝突をする。この時、空気中に含まれるミスト内の粒子の大きいものは液化し、衝突板に付着した後に衝突板を伝わり下方へ排出される。
【００１９】
次に衝突板を通過したオイルミストを含んだ空気は、ファン９の吸引力によりフロントカバー２内よりボディ１側へ吸引され、フロントカバー２とフィルタ押さえ８によって挟持された状態で保持された多孔体フィルタ内を通過する。オイルミストを含んだ空気が多孔体フィルタ内を通過すると、多孔体フィルタによって空気中よりオイルミストの粒子が除去され、オイルミストを含まない浄化された空気となり、浄化された空気は排気口であるダクトＢ４より装置外部へ排出される。
【００２０】
多孔体フィルタにより除去されたオイルは、フィルタ内を移動し下方へ集中する。本発明のオイルミスト除去装置の四角形に形成したフィルタＡ１３は、１つの角部を下方へ向け配置することにより、オイルが一カ所へ集中して集まるように構成され、更にオイルが集められた角部へ向け配置した噴射ノズル１１により高圧空気の吹きつけを行うことでフィルタに付着したオイルの除去し、常にフィルタのオイルミスト除去効率を高いものとしている。
【産業上の利用可能性】
【００２１】
上記の様なオイルミスト除去装置のフィルタのオイル除去方法は、鉱物油を主成分とした油性切削油のオイルミスト除去を目的としたもので有るが、本発明のオイルミスト除去装置のフィルタメンテナンス方法は、油性切削油のオイルミストに限定されるものでなく、水溶性切削油等のオイルミストにおいても転用することが可能である。
【図面の簡単な説明】
【００２２】
【図１】本実施例の断面図
【図２】フロントカバーを外した状態のボディを示す図面
【図３】フィルタ１の取り付け状態を示す図面
【符号の説明】
【００２３】
１    ボディ
２    フロントカバー
３    ダクトＡ
４    ダクトＢ
５    ダクトＢ用プレート
６    隔壁Ａ
７    隔壁Ｂ
８    フィルタ押さえ
９    ファン
１０  モータ
１１  噴射ノズル
１２  ドレン
１３  フィルタＡ
１４  フィルタＢ
１５  フィルタＣ
１６  フィルタＤ
１７  フィルタ保持ピンＡ
１８  フィルタ保持ピンＢ
【図１】
2007203275.tif 000002
【図２】
2007203275.tif 000003
【図３】
2007203275.tif 000004